【事件の表示】
　特願２００２−　３２４４４「スピット制御方法、インクジェット式印字装置、コンピュータプログラム及び記録媒体」拒絶査定不服審判事件〔平成１５年　８月１９日出願公開、特開２００３−２３１２７２〕について、次のとおり審決する。
【結　論】
　本件審判の請求は、成り立たない。
【理　由】
第１　手続の経緯
　本願は、平成１４年２月８日の出願であって、平成１８年７月１０日及び同年１０月５日に手続補正がなされ、平成１８年１０月５日付け手続補正は平成１８年１０月２７日付けで却下されるとともに、同日付けで拒絶査定がなされ、これに対し、同年１１月３０日に拒絶査定不服審判請求がなされるとともに、同年１２月２８日に手続補正がなされたものである。
　
第２　平成１８年１２月２８日付け手続補正についての補正却下の決定
〔補正却下の決定の結論〕
　平成１８年１２月２８日付け手続補正（以下「本件補正」という。）を却下する。
　
〔理由〕
１　本件補正の内容
　本件補正は、次の補正内容からなる。
（１）本件補正前に【請求項１】及び【０００６】に記載されていた「定める」の「め」と「る」の間に「、スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略す」を追加する。
（２）本件補正前に【請求項２】及び【０００７】に記載されていた「とを備える」の「と」と「を」の間及び「備え」と「る」の間に、それぞれ、「、スピット動作の処理を行う場合に、各色印字データの各色毎に、前回スピット動作から印字されたか否かを判定する第１判定手段と、スピット動作の処理を行う場合に、前記各色毎に、爾後のスピット動作迄に印字されるか否かを判定する第２判定手段と」及び「、前記第１判定手段が印字されなかったと判定し、かつ前記第２判定手段が印字されないと判定した印字データの色インクは、スピット動作を省略するように構成されてい」を追加する。
（３）本件補正前に【請求項３】及び【０００８】に記載されていた「とを含む」の「と」と「を含む」との間に「、スピット動作の処理を行う場合に、各色印字データの各色毎に、前回スピット動作から印字されたか否かと、爾後のスピット動作迄に印字されるか否かとを判定する手順と、該手順が印字されなかったと判定し、かつ印字されないと判定した印字データの色は、スピット動作を省略する手順と」を追加する。
（４）本件補正前に【請求項４】及び【００１０】に記載されていた「とを含む」の「と」と「を」の間に「、前記コンピュータに、スピット動作の処理を行わせる場合に、各色印字データの各色毎に、前回スピット動作から印字されたか否かと、爾後のスピット動作迄に印字されるか否かとを判定させる手順と、該手順が印字されなかったと判定し、かつ印字されないと判定した印字データの色は、前記コンピュータに、スピット動作を省略させる手順と」を追加する。
（５）本件補正前に【０００９】に記載されていた「少なく定める。」の後に続けて「スピット動作の処理を行う場合に、第１判定手段が、各色印字データの各色毎に、前回スピット動作から印字されたか否かを判定し、第２判定手段が、各色印字データの各色毎に、爾後のスピット動作迄に印字されるか否かを判定し、第１判定手段が印字されなかったと判定し、かつ第２判定手段が印字されないと判定した印字データの色インクは、スピット動作を省略する。」を追加する。
（６）本件補正前に【００１１】に記載されていた「少なく定める。」の後に続けて「内蔵したコンピュータに、スピット動作の処理を行わせる場合に、各色印字データの各色毎に、前回スピット動作から印字されたか否かと、爾後のスピット動作迄に印字されるか否かとを判定させ、印字されなかったと判定し、かつ印字されないと判定した印字データの色は、内蔵したコンピュータに、スピット動作を省略させる。」を追加する。
（７）本件補正前に【００３０】の末尾に記載されていた「しても良い。」の後に続けて「また、印字処理済みの枚数（頁数）が０である黒インクヘッド９、カラーインクヘッド１０のスピット動作は行わない。」を追加する。
（８）本件補正前に【００３４】に記載されていた「設定する。」の後に続けて「但し、印字処理済みの枚数（頁数）が０である色のインクヘッドのスピット動作は不要であるので行わない。」を追加する。
　
２　本件補正後の特許請求の範囲の記載
　本件補正後の特許請求の範囲の記載は次のとおりである。
「　【請求項１】　入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、
　前記印字処理中に印字した頁数を認識し、認識した頁数が多い程、前記スピット動作の吐出量を少なく定め
、スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略す
　　【請求項２】　入力されたカラー画像データの各色印字データに基づく印字処理中に行われ、各色インクヘッドを清掃する為に、各色インクを所定箇所へ吐出するスピット動作を制御するインクジェット式印字装置において、
　前記印字処理中に印字した頁数を認識する手段と、該手段が認識した頁数が多い程、前記スピット動作の吐出量を少なく定める手段と
、スピット動作の処理を行う場合に、各色印字データの各色毎に、前回スピット動作から印字されたか否かを判定する第１判定手段と、スピット動作の処理を行う場合に、前記各色毎に、爾後のスピット動作迄に印字されるか否かを判定する第２判定手段と
、前記第１判定手段が印字されなかったと判定し、かつ前記第２判定手段が印字されないと判定した印字データの色インクは、スピット動作を省略するように構成されてい
　　【請求項３】　入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて、
　前記コンピュータに、前記印字処理中に印字した頁数を認識させる手順と、前記コンピュータに、その認識させた頁数が多い程、前記スピット動作の吐出量を少なく定めさせる手順と
、スピット動作の処理を行う場合に、各色印字データの各色毎に、前回スピット動作から印字されたか否かと、爾後のスピット動作迄に印字されるか否かとを判定する手順と、該手順が印字されなかったと判定し、かつ印字されないと判定した印字データの色は、スピット動作を省略する手順と
　　【請求項４】　入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において、
　前記コンピュータに、前記印字処理中に印字した頁数を認識させる手順と、前記コンピュータに、その認識させた頁数が多い程、前記スピット動作の吐出量を少なく定めさせる手順と
、前記コンピュータに、スピット動作の処理を行わせる場合に、各色印字データの各色毎に、前回スピット動作から印字されたか否かと、爾後のスピット動作迄に印字されるか否かとを判定させる手順と、該手順が印字されなかったと判定し、かつ印字されないと判定した印字データの色は、前記コンピュータに、スピット動作を省略させる手順と
　
３　本願の願書に最初に添付した明細書及び図面（以下「当初明細書」という。）の記載事項
　当初明細書には次の記載がある。
　ア　「【特許請求の範囲】
【請求項１】  
入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、
【請求項２】  
前記各色印字データの各色毎に、前回スピット動作から使用されたか否かと爾後のスピット動作迄に使用されるか否かとを判定し、
【請求項３】  コンピュータから入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、
　前記コンピュータが、所定の範囲毎に前記各色印字データの各色毎に使用されるか否かを判定するステップと、前記印字装置が、スピット動作の都度その判定結果を受取るステップと、前記印字装置が、受取った判定結果に基づき、前記各色インクヘッドの各スピット動作の吐出量を定めるステップとを含むことを特徴とするスピット制御方法。
【請求項４】  入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、
　前記インクヘッドの温度を検出し、検出した温度に基づき、前記スピット動作の吐出量を定めることを特徴とするスピット制御方法。
【請求項５】  
入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において
　
前記印字処理中に印字した頁数を認識し、認識した頁数
【請求項６】  
入力されたカラー画像データの各色印字データに基づく印字処理中に行われ、各色インクヘッドを清掃する為に、各色インクを所定箇所へ吐出するスピット動作を制御するインクジェット式印字装置において
　前記各色インクヘッドの各スピット動作の吐出量を、それぞれ前記各色印字データに基づき定める手段を備えることを特徴とするインクジェット式印字装置。
【請求項７】  
前記各色印字データの各色毎に、前回スピット動作から使用されたか否かと爾後のスピット動作迄に使用されるか否かとを判定する手段を更に備え
【請求項８】  コンピュータから入力されたカラー画像データの各色印字データに基づく印字処理中に行われ、各色インクヘッドを清掃する為に、各色インクを所定箇所へ吐出するスピット動作を制御するインクジェット式印字装置において、
　前記コンピュータから、所定の範囲毎の前記各色印字データの各色毎の使用されるか否かのデータを、スピット動作の都度受取る手段を備え、該手段が受取ったデータに基づき、前記各色インクヘッドの各スピット動作の吐出量を定むべくなしてあることを特徴とするインクジェット式印字装置。
【請求項９】  入力されたカラー画像データの各色印字データに基づく印字処理中に行われ、各色インクヘッドを清掃する為に、各色インクを所定箇所へ吐出するスピット動作を制御するインクジェット式印字装置において、
　前記インクヘッドの温度を検出する手段と、該手段が検出した温度に基づき、前記スピット動作の吐出量を定める手段とを備えることを特徴とするインクジェット式印字装置。
【請求項１０】  
入力されたカラー画像データの各色印字データに基づく印字処理中に行われ、各色インクヘッドを清掃する為に、各色インクを所定箇所へ吐出するスピット動作を制御するインクジェット式印字装置において
　
前記印字処理中に印字した頁数を認識する手段と、該手段が認識した頁数
【請求項１１】  
入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて
　前記コンピュータに、前記各色インクヘッドの各スピット動作の吐出量を、それぞれ前記各色印字データに基づき定めさせる手順を含むことを特徴とするコンピュータプログラム。
【請求項１２】  
前記コンピュータに、前記各色印字データの各色毎に、前回スピット動作から使用されたか否かと爾後のスピット動作迄に使用されるか否かとを判定させる手順
【請求項１３】  他のコンピュータから入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータ及び前記他のコンピュータに制御させる為のコンピュータプログラムにおいて、
　前記他のコンピュータに、所定の範囲毎に前記各色印字データの各色毎に使用されるか否かを判定させる手順と、前記コンピュータに、スピット動作の都度その判定結果を受取らせる手順と、前記コンピュータに、受取った判定結果に基づき、前記各色インクヘッドの各スピット動作の吐出量を定めさせる手順とを含むことを特徴とするコンピュータプログラム。
【請求項１４】  入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて、
　前記コンピュータに、前記インクヘッドの温度を読取らせる手順と、前記コンピュータに、その読取らせた温度に基づき、前記スピット動作の吐出量を定めさせる手順とを含むことを特徴とするコンピュータプログラム。
【請求項１５】  
入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて
　
前記コンピュータに、前記印字処理中に印字した頁数を認識させる手順と、前記コンピュータに、その認識させた頁数
【請求項１６】  入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において、
　前記コンピュータに、前記各色インクヘッドの各スピット動作の吐出量を、それぞれ前記各色印字データに基づき定めさせる手順を含むコンピュータプログラムを記録してあることを特徴とする記録媒体。
【請求項１７】  他のコンピュータから入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータ及び前記他のコンピュータに制御させる為のコンピュータプログラムを記録してあるコンピュータでの読取りが可能な記録媒体において、
　前記他のコンピュータに、所定の範囲毎に前記各色印字データの各色毎に使用されるか否かを判定させる手順と、前記コンピュータに、スピット動作の都度その判定結果を受取らせる手順と、前記コンピュータに、受取った判定結果に基づき、前記各色インクヘッドの各スピット動作の吐出量を定めさせる手順とを含むコンピュータプログラムを記録してあることを特徴とする記録媒体。
【請求項１８】  入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において、
　前記コンピュータに、前記インクヘッドの温度を読取らせる手順と、前記コンピュータに、その読取らせた温度に基づき、前記スピット動作の吐出量を定めさせる手順とを含むコンピュータプログラムを記録してあることを特徴とする記録媒体。
【請求項１９】  
入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において
　
前記コンピュータに、前記印字処理中に印字した頁数を認識させる手順と、前記コンピュータに、その認識させた頁数
【発明の詳細な説明】
【０００１】
【発明の属する技術分野】本発明は、印字動作中に定期的に行われ、各色インクヘッドを清掃する為に、各色インクを所定箇所へ吐出するスピット動作を制御するインクジェット式印字装置のスピット制御方法、そのスピット制御方法を行うインクジェット式印字装置、そのスピット制御方法をコンピュータに行わせる為のコンピュータプログラム、及びそのコンピュータプログラムを記録してある記録媒体に関するものである。
【０００２】
【従来の技術】インクジェット式印字装置の印字機構には、黒（Ｋ）専用のインクを有するインクヘッド（ノズル）と、シアン（Ｃ）、マゼンタ（Ｍ）及びイエロー（Ｙ）の各カラーインクを有するヘッド( ノズル) とが設置されている。印字動作中のインクの乾燥、紙屑によるインクヘッドの目詰まり、及びインクヘッドの非正常噴射等の問題を防ぐ為、従来のインクジェット式印字装置では、印字動作中に定期的に、黒、シアン、マゼンタ及びイエローの各カラーインクについて、印字対象部分以外に設けられたワイプユニット上で、インクヘッドに含まれるインクを吐出してクリーニングを行なっている。これにより、上述した問題の発生を防ぐことが出来る。このように、インクを吐出し、インクヘッドのクリーニングをする動作をスピット動作という。
【０００３】
【発明が解決しようとする課題】しかし、上述した従来のスピット動作では、印字に必要としないインクに対してもスピット動作が行われるという問題がある。例えば、赤色のみから成り立つデータに基づいて印字する場合、イエロー及びマゼンタのインクのスピット動作が必要であるが、その印字に必要ではない黒及びシアンのインクのスピット動作も行われる。
【０００４】印字に必要でないインクのスピット動作が行われることにより、インクヘッド（インクタンク）中のインクの消耗が必要以上に促進されるという問題がある。また、スピット動作により、インクジェット式印字装置には、吐出された無駄なインクが溜まってしまうという問題がある。更に、本来のインクヘッド（インクタンク）中のインクの含有量から得られるべき印字枚数が得られないという問題が生じる。
【０００５】本発明は、上述したような事情に鑑みてなされたものであり、無駄なインクの消耗を防ぎ、その結果、本来のインクヘッド（インクタンク）中のインクの含有量から得られるべき印字枚数が得られるスピット制御方法、そのスピット制御方法を行うインクジェット式印字装置、そのスピット制御方法をコンピュータに行わせる為のコンピュータプログラム、及びそのコンピュータプログラムを記録してある記録媒体を提供することを目的とする。
【０００６】
【課題を解決するための手段】本発明に係る
スピット制御方法は
入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において
【０００７】本発明に係るスピット制御方法は、
前記各色印字データの各色毎に、前回スピット動作から使用されたか否かと爾後のスピット動作迄に使用されるか否かとを判定し、
【０００８】本発明に係るスピット制御方法は、コンピュータから入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、前記コンピュータが、所定の範囲毎に前記各色印字データの各色毎に使用されるか否かを判定するステップと、前記印字装置が、スピット動作の都度その判定結果を受取るステップと、前記印字装置が、受取った判定結果に基づき、前記各色インクヘッドの各スピット動作の吐出量を定めるステップとを含むことを特徴とする。
【０００９】本発明に係るスピット制御方法は、入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、前記インクヘッドの温度を検出し、検出した温度に基づき、前記スピット動作の吐出量を定めることを特徴とする。
【００１０】本発明に係る
スピット制御方法は
入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、前記印字処理中に印字した頁数を認識し、認識した頁数
【００１１】本発明に係る
インクジェット式印字装置は
入力されたカラー画像データの各色印字データに基づく印字処理中に行われ、各色インクヘッドを清掃する為に、各色インクを所定箇所へ吐出するスピット動作を制御するインクジェット式印字装置において、
【００１２】本発明に係るインクジェット式印字装置は、
前記各色印字データの各色毎に、前回スピット動作から使用されたか否かと爾後のスピット動作迄に使用されるか否かとを判定する手段を更に備え、
【００１３】本発明に係るインクジェット式印字装置は、コンピュータから入力されたカラー画像データの各色印字データに基づく印字処理中に行われ、各色インクヘッドを清掃する為に、各色インクを所定箇所へ吐出するスピット動作を制御するインクジェット式印字装置において、前記コンピュータから、所定の範囲毎の前記各色印字データの各色毎の使用されるか否かのデータを、スピット動作の都度受取る手段を備え、該手段が受取ったデータに基づき、前記各色インクヘッドの各スピット動作の吐出量を定むべくなしてあることを特徴とする。
【００１４】本発明に係るインクジェット式印字装置は、入力されたカラー画像データの各色印字データに基づく印字処理中に行われ、各色インクヘッドを清掃する為に、各色インクを所定箇所へ吐出するスピット動作を制御するインクジェット式印字装置において、前記インクヘッドの温度を検出する手段と、該手段が検出した温度に基づき、前記スピット動作の吐出量を定める手段とを備えることを特徴とする。
【００１５】本発明に係る
インクジェット式印字装置は
入力されたカラー画像データの各色印字データに基づく印字処理中に行われ、各色インクヘッドを清掃する為に、各色インクを所定箇所へ吐出するスピット動作を制御するインクジェット式印字装置において、前記印字処理中に印字した頁数を認識する手段と、該手段が認識した頁数
【００１６】本発明に係る
コンピュータプログラムは
入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて
【００１７】本発明に係るスピット制御方法、本発明に係るインクジェット式印字装置、及び本発明に係るコンピュータプログラムを読取ったインクジェット式印字装置では、入力されたカラー画像データの各色印字データに基づく印字処理中に行われ、各色インクヘッドを清掃する為に、各色インクを所定箇所へ吐出するスピット動作を制御する。定める手段が、各色インクヘッドの各スピット動作の吐出量を、それぞれ各色印字データに基づき定める。これにより、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００１８】本発明に係るコンピュータプログラムは、
前記コンピュータに、前記各色印字データの各色毎に、前回スピット動作から使用されたか否かと爾後のスピット動作迄に使用されるか否かとを判定させる手順と、
【００１９】本発明に係るスピット制御方法、本発明に係るインクジェット式印字装置、及び本発明に係るコンピュータプログラムを読取ったインクジェット式印字装置では、各色印字データの各色毎に、判定する手段が、前回スピット動作から使用されたか否かと爾後のスピット動作迄に使用されるか否かとを判定し、その判定結果に基づき、各色インクヘッドの各スピット動作の吐出量を定めるように構成してある。これにより、印字データの各色使用を判定する手段を設けるだけで、無駄なインクの消耗を防ぎ、本来のインクヘッド（インクタンク）中のインクの含有量から得られるべき印字枚数が得られるスピット制御方法、及びそのスピット制御方法を行うコンパクトなインクジェット式印字装置を実現することが出来る。
【００２０】本発明に係るコンピュータプログラムは、他のコンピュータから入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータ及び前記他のコンピュータに制御させる為のコンピュータプログラムにおいて、前記他のコンピュータに、所定の範囲毎に前記各色印字データの各色毎に使用されるか否かを判定させる手順と、前記コンピュータに、スピット動作の都度その判定結果を受取らせる手順と、前記コンピュータに、受取った判定結果に基づき、前記各色インクヘッドの各スピット動作の吐出量を定めさせる手順とを含むことを特徴とする。
【００２１】本発明に係るスピット制御方法、本発明に係るインクジェット式印字装置、本発明に係るコンピュータプログラムを読取ったコンピュータ、及び本発明に係るコンピュータプログラムを読取ったインクジェット式印字装置では、コンピュータから入力されたカラー画像データの各色印字データに基づく印字処理中に行われ、各色インクヘッドを清掃する為に、各色インクを所定箇所へ吐出するスピット動作をインクジェット式印字装置が制御する。コンピュータが、所定の範囲毎の各色印字データの各色毎に使用されるか否かを判定し、インクジェット式印字装置の受取る手段が、その判定結果をスピット動作の都度受取る。インクジェット式印字装置は、その受取った判定結果に基づき、前記各色インクヘッドの各スピット動作の吐出量を定める。
【００２２】これにより、大容量の印字データでもコンピューター側で判定処理され、インクジェット式印字装置側には、判定する手段が不要となり、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００２３】本発明に係るコンピュータプログラムは、入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて、前記コンピュータに、前記インクヘッドの温度を読取らせる手順と、前記コンピュータに、その読取らせた温度に基づき、前記スピット動作の吐出量を定めさせる手順とを含むことを特徴とする。
【００２４】本発明に係るスピット制御方法、本発明に係るインクジェット式印字装置、及び本発明に係るコンピュータプログラムを読取ったインクジェット式印字装置では、入力されたカラー画像データの各色印字データに基づく印字処理中に行われ、各色インクヘッドを清掃する為に、各色インクを所定箇所へ吐出するスピット動作を制御する。検出する手段が、インクヘッドの温度を検出し、定める手段が、その検出し読取った温度に基づき、スピット動作の吐出量を定める。これにより、印字データを複数枚分取り込んで印字する場合に、インクヘッドの温度に応じて１回当たりのスピット量（吐出量）を変化させることが出来、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００２５】本発明に係る
コンピュータプログラムは
入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムにおいて
前記コンピュータに、前記印字処理中に印字した頁数を認識させる手順と、前記コンピュータに、その認識させた頁数
【００２６】本発明に係るスピット制御方法、本発明に係るインクジェット式印字装置、及び本発明に係るコンピュータプログラムを読取ったインクジェット式印字装置では、入力されたカラー画像データの各色印字データに基づく印字処理中に行われ、各色インクヘッドを清掃する為に、各色インクを所定箇所へ吐出するスピット動作を制御する。
認識する手段が、印字処理中に印字した頁数を認識し、定める手段が、その認識した頁数に基づき、スピット動作の吐出量を定める。これにより、一度に印字データを複数枚分取り込んで印字する場合に、印字した枚数（頁数）に応じて１回当たりのスピット量（吐出量）を変化させる
【００２７】本発明に係る記録媒体は、入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において、前記コンピュータに、前記各色インクヘッドの各スピット動作の吐出量を、それぞれ前記各色印字データに基づき定めさせる手順を含むコンピュータプログラムを記録してあることを特徴とする。
【００２８】この記録媒体に記録してあるコンピュータプログラムを読取ったインクジェット式印字装置では、入力されたカラー画像データの各色印字データに基づく印字処理中に行われ、各色インクヘッドを清掃する為に、各色インクを所定箇所へ吐出するスピット動作を、内蔵したコンピュータに制御させる。内蔵したコンピュータに、各色インクヘッドの各スピット動作の吐出量を、それぞれ各色印字データに基づき定めさせる。これにより、無駄なインクの消耗を防ぎ、本来のインクヘッド（インクタンク）中のインクの含有量から得られるべき印字枚数が得られるスピット制御方法を行うインクジェット式印字装置を実現することが出来る。
【００２９】本発明に係る記録媒体は、他のコンピュータから入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータ及び前記他のコンピュータに制御させる為のコンピュータプログラムを記録してあるコンピュータでの読取りが可能な記録媒体において、前記他のコンピュータに、所定の範囲毎に前記各色印字データの各色毎に使用されるか否かを判定させる手順と、前記コンピュータに、スピット動作の都度その判定結果を受取らせる手順と、前記コンピュータに、受取った判定結果に基づき、前記各色インクヘッドの各スピット動作の吐出量を定めさせる手順とを含むコンピュータプログラムを記録してあることを特徴とする。
【００３０】この記録媒体に記録してあるコンピュータプログラムを読取ったインクジェット式印字装置及びコンピュータでは、コンピュータから入力されたカラー画像データの各色印字データに基づく印字処理中に行われ、各色インクヘッドを清掃する為に、各色インクを所定箇所へ吐出するスピット動作をインクジェット式印字装置が制御する。コンピュータが、所定の範囲毎の各色印字データの各色毎に使用されるか否かを判定し、インクジェット式印字装置の受取る手段が、その判定結果をスピット動作の都度受取る。インクジェット式印字装置は、その受取った判定結果に基づき、前記各色インクヘッドの各スピット動作の吐出量を定める。
【００３１】これにより、大容量の印字データでもコンピュータ側で判定処理され、インクジェット式印字装置側には、判定する手段が不要となり、無駄なインクの消耗を防ぎ、本来のインクヘッド（インクタンク）中のインクの含有量から得られるべき印字枚数が得られるスピット制御方法、そのスピット制御方法を行うインクジェット式印字装置、及びそのスピット制御方法を行うコンピュータを実現することが出来る。
【００３２】本発明に係る記録媒体は、入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において、前記コンピュータに、前記インクヘッドの温度を読取らせる手順と、前記コンピュータに、その読取らせた温度に基づき、前記スピット動作の吐出量を定めさせる手順とを含むコンピュータプログラムを記録してあることを特徴とする。
【００３３】この記録媒体に記録してあるコンピュータプログラムを読取ったインクジェット式印字装置では、入力されたカラー画像データの各色印字データに基づく印字処理中に行われ、各色インクヘッドを清掃する為に、各色インクを所定箇所へ吐出するスピット動作を、内蔵したコンピュータに制御させる。内蔵したコンピュータに、インクヘッドの温度を読取らせ、内蔵したコンピュータに、その読取らせた温度に基づき、スピット動作の吐出量を定めさせる。これにより、印字データを複数枚分取り込んで印字する場合に、インクヘッドの温度に応じて１回当たりのスピット量（吐出量）を変化させることが出来、無駄なインクの消耗を防ぎ、本来のインクヘッド（インクタンク）中のインクの含有量から得られるべき印字枚数が得られるスピット制御方法を行うインクジェット式印字装置を実現することが出来る。
【００３４】本発明に係る
記録媒体は
入力されたカラー画像データの各色印字データに基づく印字処理中に行われ、各色インクヘッドを清掃する為に、各色インクを所定箇所へ吐出するスピット動作を、インクジェット式印字装置に内蔵されたコンピュータに制御させる為のコンピュータプログラムを記録してあるコンピュータでの読取りが可能な記録媒体において
前記コンピュータに、前記印字処理中に印字した頁数を認識させる手順と、前記コンピュータに、その認識させた頁数
【００３５】この記録媒体に記録してあるコンピュータプログラムを読取ったインクジェット式印字装置では、入力されたカラー画像データの各色印字データに基づく印字処理中に行われ、各色インクヘッドを清掃する為に、各色インクを所定箇所へ吐出するスピット動作を、内蔵したコンピュータに制御させる。
内蔵したコンピュータに、印字処理中に印字した頁数を認識させ、内蔵したコンピュータに、その認識させた頁数
　
　イ　「【００３６】
【発明の実施の形態】以下に、本発明を、その実施の形態を示す図面に基づき説明する。
実施の形態１
【００３７】この印字処理に必要なパーソナルコンピュータ１２及びインクジェット式印字装置１４のコンピュータプログラムは、ＣＤ−ＲＯＭ、フレキシブルディスク又はＤＶＤ等の記録媒体１３からパーソナルコンピュータ１２に読取られて記憶され、インクジェット式印字装置１４の制御部１１を構成するマイクロコンピュータのコンピュータプログラムは、パーソナルコンピュータ１２経由で読取られて記憶される。インクジェット式印字装置１４の制御部１１を構成するマイクロコンピュータのプログラムは、インクジェット式印字装置１４に備えられてあるＲＯＭからの実行も可能である。
【００３８】このインクジェット式印字装置１４は、筐体内の後面側に、図示しない給紙機構から印刷用紙を搬送する為の給紙ローラ３が設けられ、搬送された印刷用紙が通過する上方を走査するように（主走査）、キャリッジ４が設けられている。キャリッジ４は、駆動用ベルトであるタイミングベルト１が往復移動することにより駆動され、黒、シアン、マゼンタ、イエローの各インクヘッドの保持、およびスピット動作の切替えを行う。タイミングベルト１にはタイミングフェンス２が付加されており、タイミングフェンス２と図示しない光電素子との組合せにより、タイミング信号の作成及びキャリッジ４の位置検出を行う。
【００３９】移動範囲の右端にキャリッジ４が有る場合に、その下方に位置するようにメンテナンスユニット５が設けられている。メンテナンスユニット５は、キャリッジ４が保持するインクヘッドのクリーニング及びインクヘッドの保護を行う。インクジェット式印字装置１４の筐体内の前面側には、印字した印刷用紙を排出する為の排紙ローラ６が設けられている。給紙ローラ３及び排紙ローラ６の中間位置には、印刷用紙を搬送する為のフィールドローラ７が設けられている。移動範囲の左端にキャリッジ４が有る場合に、その下方に位置するように、ワイプユニット８が設けられている。ワイプユニット８は、インクヘッドのクリーニングおよびスピット動作時にインクヘッドから吐出されるインクを受ける為の皿である。
【００４０】タイミングフェンス２は、例えば透明なフィルムに１５０ｄｐｉの黒い縞模様を印刷したもので、その両側に図示しない透過式のフォトセンサー（エンコーダセンサー）が配置してある。そのエンコーダーセンサーは、タイミングフェンス２を覆うかたちでキャリッジ４に取り付けられており、タイミングフェンス２から読取ったリニアーエンコーダー信号（１５０ＬＰＩ）を、インクジェット式印字装置１４の筐体内の後端右側に設けられた制御部１１に与える。制御部１１では、このリニアーエンコーダー信号により６００ＤＰＩの信号及びキャリッジ進行方向の信号を生成している。
【００４１】図２は、キャリッジ４が保持するインクヘッドの構成を示す説明図である。インクヘッドは、図２（ａ）に示すように、黒インクヘッド９と、シアン、マゼンタ及びイエローの３色から成るカラーインクヘッド１０とから構成されている。黒インクヘッド９及びカラーインクヘッド１０共に、それぞれのヘッドには、図示しない各ノズルが設けられており、各ノズルを通して黒インク及びカラーインクが吐出する構造である。
【００４２】キャリッジ４は、黒インクヘッド９の上方に黒インクタンク９ａを載置し、カラーインクヘッド１０の上方にマゼンタインクタンク１０ａ、イエローインクタンク１０ｂ及びシアンインクタンク１０ｃを載置している。黒インクヘッド９及びカラーインクヘッド１０共に、図中の矢印左方向がスキャン方向（走査方向）に対応し、矢印右方向がリスキャン方向に対応する。黒インクヘッド９及びカラーインクヘッド１０には、それぞれの温度を検出する為の温度センサ９ｂ，１０ｄ（検出する手段）が付加されている。
【００４３】黒インクヘッド９及びカラーインクヘッド１０は、それぞれ帯状にインクを吐出することでスピット動作を行う。ヘッド構成は、図２（ｂ）に示すように、シアン、マゼンタ及びイエローの各ノズル数が、それぞれ黒ノズル数の約１／３で吐出するようになっている。例えば、各色インクノズルについて、全てのノズルよりインクが吐出される場合は、帯状に印字される。また、スピット時には、図３に示すように、黒インクヘッド９及びカラーインクヘッド１０の下方にワイプユニット８が位置し、黒インクヘッド９及びカラーインクヘッド１０が吐出するインクを受けるようになっている。
【００４４】図４は、黒インク及びカラーインクのスピット動作を示す説明図である。図４（ａ）に示すように、ワイプユニット８上に、キャリッジ４のインクの吐出部であるスピット部があり、スピット動作時には、黒インクヘッド９及びカラーインクヘッド１０は、ワイプユニット８の上方位置に移動する。カラーインクヘッド１０のみのスピット動作を行うときは、図４（ｂ）に示す位置に、また、黒インクヘッド９のみのスピット動作を行うときは、図４（ｃ）の位置にインクヘッドが移動する。黒インクヘッド９及びカラーインクヘッド１０が共にスピット動作を行うときは、各インクヘッド９，１０が図４（ｄ）に示す位置に移動することで、同時にスピット動作を行う。
【００４５】
以下に、このような構成のインクジェット式印字装置１４のスピット動作を、それを示す図５，６のフローチャートを参照しながら説明する
【００４６】インクジェット式印字装置１４の制御部１１は、印字データ形式として、
パーソナルコンピュータ１２から送られて来た１ページ分のデータ中で使用されている黒、シアン、マゼンタ及びイエローのデータを受取り（Ｓ２）、印字を開始する（Ｓ４）。制御部１１は、印字処理中にスピット（動作）を実行するときは（Ｓ６）、受取った（Ｓ２）データ中の各色インクの使用状況を判定し（Ｓ８）、その判定結果に基づき、各色インクのスピット処理を実行する（Ｓ１０）
【００４７】
制御部１１は、スピット処理を実行するとき（Ｓ１０）、前回のスピット時点から使用した黒、シアン、マゼンタ及びイエローの各色、及び爾後のスピット時点迄に使用する黒、シアン、マゼンタ及びイエローの各色を判定する為のメモリを装備し、前回スピット動作を行った時点から爾後のスピット時点までに使用する（使用した）カラーを判定することで、前回スピット動作を行った時点から爾後のスピット時点迄に使用する（使用した）インクと使用しない（使用しなかった）インクに対してスピット動作を異ならせる
【００４８】制御部１１は、
スピット処理を実行するとき（Ｓ１０）、シアンインクを、前回スピット動作を行った時点から爾後のスピット時点迄に使用する（使用した）と判定したときは（図６Ｓ２０）、シアンインクのスピット動作を実行する（Ｓ２２）。シアンインクを、前回スピット動作を行った時点から爾後のスピット時点迄に使用しない（使用しなかった）と判定したときは（Ｓ２０）、シアンインクのスピット動作は実行しない
【００４９】制御部１１は、
スピット処理を実行するとき（Ｓ１０）、マゼンタインクを、前回スピット動作を行った時点から爾後のスピット時点迄に使用する（使用した）と判定したときは（Ｓ２４）、マゼンタインクのスピット動作を実行する（Ｓ２６）。マゼンタインクを、前回スピット動作を行った時点から爾後のスピット時点迄に使用しない（使用しなかった）と判定したときは（Ｓ２４）、マゼンタインクのスピット動作は実行しない
【００５０】制御部１１は、
スピット処理を実行するとき（Ｓ１０）、イエローインクを、前回スピット動作を行った時点から爾後のスピット時点迄に使用する（使用した）と判定したときは（Ｓ２８）、イエローインクのスピット動作を実行する（Ｓ３０）。イエローインクを、前回スピット動作を行った時点から爾後のスピット時点迄に使用しない（使用しなかった）と判定したときは（Ｓ２８）、イエローインクのスピット動作は実行しない
【００５１】制御部１１は、
スピット処理を実行するとき（Ｓ１０）、黒インクを、前回スピット動作を行った時点から爾後のスピット時点迄に使用する（使用した）と判定したときは（Ｓ３２）、黒インクのスピット動作を実行する（Ｓ３４）。黒インクを、前回スピット動作を行った時点から爾後のスピット時点迄に使用しない（使用しなかった）と判定したときは（Ｓ３２）、黒インクのスピット動作は実行しない
制御部１１は、上述した各色インクについての判定及びスピット処理が終了するとリターンする
【００５２】制御部１１は、スピット処理を実行しないときは（図５Ｓ６）、印字処理が終了したか否かを判定し（Ｓ１２）、終了したときはリターンする。制御部１１は、印字処理が終了しないときは（Ｓ１２）、印字データが有るか否かを判定し（Ｓ１４）、印字データが有れば、スピット処理を実行するか否かを判定しながら（Ｓ６）、印字処理を続行する。制御部１１は、印字データが無いときは（Ｓ１４）、印字処理を中断して（Ｓ１５）、印字データをパーソナルコンピュータ１２に要求する（Ｓ１６）。制御部１１は、印字データをパーソナルコンピュータ１２から受取ると（Ｓ２）、印字処理を再開する（Ｓ４）。」
　
　ウ　「【００５３】
実施の形態２
【００５４】このインクジェット式印字装置１４の制御部１１は、印字データ形式として、
パーソナルコンピュータ１２から送られて来た１ページ分のデータ中で使用されている黒、シアン、マゼンタ及びイエローのデータを受取り（Ｓ３０）、印字を開始する（Ｓ３２）
制御部１１は、印字処理中にスピット（動作）を実行するときは（Ｓ３４）、受取った（Ｓ３０）１ページ分のデータ中の各色インクの使用状況データを、パーソナルコンピュータ１２に問い合わせ（Ｓ３６）、その各色インクの使用状況データを受取ったときに（Ｓ３８）、その使用状況データに基づき、各色インクのスピット処理を実行する（Ｓ４０）
【００５５】
制御部１１のスピット処理は（Ｓ４０）、上述した実施の形態１のスピット処理（図６Ｓ２０〜Ｓ３４）と同様であるので、説明を省略する
【００５６】一方、パーソナルコンピュータ１２は、図８のフローチャートに示すように、インクジェット式印字装置１４の制御部１１から、印字データを要求されると（Ｓ４６）、１ページ分の印字データをインクジェット式印字装置１４へ送出す（Ｓ４８）。パーソナルコンピュータ１２は、インクジェット式印字装置１４から、送出した（Ｓ４８）１ページ分のデータ中の各色インクの使用状況データの問い合わせがあると（Ｓ５０）、その１ページ分のデータ中の各色インクの使用状況を判定し（Ｓ５２）、その判定した使用状況データをインクジェット式印字装置１４へ送りだす（Ｓ５４）。
【００５７】パーソナルコンピュータ１２は、インクジェット式印字装置１４の制御部１１から、印字データを要求が無いとき（Ｓ４６）、送出した（Ｓ４８）１ページ分のデータ中の各色インクの使用状況データの問い合わせが有るか否かを判定し（Ｓ５０）、問い合わせが無ければ、印字処理を終了するか否かを判定する（Ｓ５６）。パーソナルコンピュータ１２は、印字処理を終了しないときは（Ｓ５６）リターンし、終了するときは、印字処理を終了して（Ｓ５８）リターンする。その他のインクジェット式印字装置１４及びパーソナルコンピュータ１２の動作は、上述した実施の形態１のインクジェット式印字装置１４及びパーソナルコンピュータ１２の動作と同様であるので、説明を省略する。
　
　エ　「【００５８】
実施の形態３
【００５９】このインクジェット式印字装置１４の制御部１１は、印字データ形式として、
パーソナルコンピュータ１２から送られて来た複数ページ分のデータ中で使用されている黒、シアン、マゼンタ及びイエローのデータを受取り（Ｓ８４）、印字を開始する（Ｓ８６）
制御部１１は、印字処理中にスピット（動作）を実行するときは（Ｓ８８）、黒インクヘッド９及びカラーインクヘッド１０の温度センサ９ｂ，１０ｄからインクヘッドの温度データを読込む（Ｓ９０）。制御部１１は、読込んだ温度データ（Ｓ９０）に基づき、内蔵する図１０に示すようなインクヘッド温度及びスピット量（ドット数、吐出量）の対応表を参照して、黒インクヘッド９及びカラーインクヘッド１０のスピット量を決定する（Ｓ９２）
【００６０】
制御部１１は、決定したスピット量（Ｓ９２）により、黒インクヘッド９及びカラーインクヘッド１０のスピット処理を実行する（Ｓ９４）
【００６１】制御部１１は、印字処理が終了しないときは（Ｓ９６）、印字データが有るか否かを判定し（Ｓ９８）、印字データが有れば、スピット処理を実行するか否かを判定しながら（Ｓ８８）、印字処理を続行する。制御部１１は、印字データが無いときは（Ｓ９８）、印字処理を中断して（Ｓ１００）、印字データをパーソナルコンピュータ１２に要求する（Ｓ１０２）。制御部１１は、印字データをパーソナルコンピュータ１２から受取ると（Ｓ８４）、印字処理を再開する（Ｓ８６）。
【００６２】本発明で使用するインクヘッドはサーマルインクヘッドである。
サーマルインクヘッドは熱を利用する為、使用時間の経過とともに温度が上昇し、インクの吐出量が微妙に増加する。使用時間は電源投入後の時間に略対応する。インクヘッドの温度の上昇につれて、インクヘッドからインクが吐出し易くなる。インクヘッドの温度に対して、インクヘッドのスピット時に設定するインクの量（以下、「 スピット量」 と称す）を、インクのドット数として換算し、これをインクヘッドの温度と対応させると図１０の表のようになる
【００６３】
この表は、インクヘッドの温度が１５℃〜５５℃の範囲内において、インクヘッドの温度を０．５℃ずつ上昇させた時のスピット量（単位はインクのドット数）を示している。例えば、インクヘッドの温度が１５℃のときは、スピット量は１，８００（ドット数）であるが、インクヘッド温度が５５℃のときは、スピット量は１００となり、インクヘッドの温度が高いときに比べて、インクヘッドの温度が低いときほど、インクヘッドからのインクのスピット量（ドット数）を増加させるようにしている
【００６４】従って、
データに基づきインクジェット式印字装置１４が印字を行なう場合、印字を行う初期の状態では、インクジェット式印字装置１４に電源が投入されてからの経過時間が短い為、インクヘッドの温度は低い。データの印刷枚数（頁数）が多くなると、インクジェット式印字装置１４に電源を投入してからの時間が長くなっている為、インクヘッドの温度は上昇し、インクが吐出し易い。その為、インクヘッド温度の上昇にしたがい、インクヘッドの１回のスピット量を図１０の表のように変化させる
インクヘッドのスピット量の変化は、１回のスピット量（ドット数）を変化させることにより行われる。即ち、印字枚数が少ないときは、インクヘッドの温度は低い為、１回のスピット量を増やし、印字データの枚数が多いときは、インクヘッドの温度が上昇しインクが吐出し易い為に、１回のスピット量を減らす
【００６５】以上のように、本発明に係る
スピット制御方法では、複数枚印字する場合は、インクヘッドの温度により１回のスピット量を変化させる。これによって、最適なインクヘッドのスピット動作を行うことが可能となる。その為、インクヘッドに必要なスピット量が得られ、無駄にインクを消耗することはない
サーマルインクヘッドを用いた場合の効果を説明したが、圧電体インクヘッドを用いた場合でも、圧電体の動作に伴う温度変化があるので、以上と同様の効果を得ることが出来る
　
　オ　「【００６６】
実施の形態４
【００６７】このインクジェット式印字装置１４の制御部１１は、印字データ形式として、
パーソナルコンピュータ１２から送られて来た複数ページ分のデータ中で使用されている黒、シアン、マゼンタ及びイエローのデータを受取り（Ｓ６０）、印字を開始する（Ｓ６２）
制御部１１は、印字処理中にスピット（動作）を実行するときは（Ｓ６４）、計数し認識した印字処理済みの枚数（頁数）（Ｓ７２）に基づき、内蔵する図１２に示すような印字枚数及びスピット量（ドット数、吐出量）の対応表を参照して、黒インクヘッド９及びカラーインクヘッド１０のスピット量を決定する（Ｓ６６）
印字処理済みの枚数は、パーソナルコンピュータ１２から送られることにしても良い
【００６８】
制御部１１は、決定したスピット量（Ｓ６６）により、黒インクヘッド９及びカラーインクヘッド１０のスピット処理を実行する（Ｓ６８）
印字処理済みの枚数（頁数）に１を加算し（Ｓ７２）、その加算した印字処理枚数を記憶する（Ｓ７４）
制御部１１は、１枚分の印字処理が終了していなければ（Ｓ７０）、スピット処理を実行するか否か判定しながら（Ｓ６４）、印字処理を続行する
【００６９】制御部１１は、加算した印字処理枚数を記憶した後（Ｓ７４）、印字処理を終了するか否かを判定し（Ｓ７６）、印字処理を終了しないときは（Ｓ７６）、印字データが有るか否かを判定し（Ｓ７８）、印字データが有れば、スピット処理を実行するか否かを判定しながら（Ｓ６４）、印字処理を続行する。制御部１１は、印字データが無いときは（Ｓ７８）、印字処理を中断して（Ｓ８０）、印字データをパーソナルコンピュータ１２に要求する（Ｓ８２）。制御部１１は、印字データをパーソナルコンピュータ１２から受取ると（Ｓ６０）、印字処理を再開する（Ｓ６２）。
【００７０】
実施の形態３では、インクヘッドの温度により１回のスピット量が変化するように設定した
インクヘッドの温度は、インクジェットプリンタの、連続印字枚数の増加に従って上昇する
ここでは、印字枚数によって１回のスピット量を変化させている。インクジェット式印字装置１４での印字枚数（ｐ）と、１回に必要なスピット量との関係を図１２の表に示す
【００７１】
この表に示すように、印字枚数が少ないときは１回のスピット量を多く設定し、印字枚数の増加に伴い、１回のスピット量が減少していくように設定する
スピット制御方法により、データを複数枚取り込んで印字する場合には、印字枚数の少ない場合と多い場合とで、１回のスピット量を異ならせる。これにより、最適なインクヘッドのスピット動作を行うことが可能となる。その為、インクヘッドに必要なスピット量を得ることが出来、無駄にインクを消耗することはない
　
　カ　「【００７２】
【発明の効果】本発明に係るスピット制御方法、本発明に係るインクジェット式印字装置、及び本発明に係るコンピュータプログラムを読取ったインクジェット式印字装置によれば、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００７３】本発明に係るスピット制御方法、本発明に係るインクジェット式印字装置、及び本発明に係るコンピュータプログラムを読取ったインクジェット式印字装置によれば、印字データの各色使用を判定する手段を設けるだけで、無駄なインクの消耗を防ぎ、本来のインクヘッド（インクタンク）中のインクの含有量から得られるべき印字枚数が得られるスピット制御方法、及びそのスピット制御方法を行うコンパクトなインクジェット式印字装置を実現することが出来る。
【００７４】本発明に係るスピット制御方法、本発明に係るインクジェット式印字装置、本発明に係るコンピュータプログラムを読取ったコンピュータ、及び本発明に係るコンピュータプログラムを読取ったインクジェット式印字装置によれば、大容量の印字データでもコンピューター側で判定処理され、インクジェット式印字装置側には、判定する手段が不要となり、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００７５】本発明に係るスピット制御方法、本発明に係るインクジェット式印字装置、及び本発明に係るコンピュータプログラムを読取ったインクジェット式印字装置によれば、印字データを複数枚分取り込んで印字する場合に、インクヘッドの温度に応じて１回当たりのスピット量（吐出量）を変化させることが出来、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００７６】本発明に係るスピット制御方法、本発明に係るインクジェット式印字装置、及び本発明に係るコンピュータプログラムを読取ったインクジェット式印字装置によれば、一度に印字データを複数枚分取り込んで印字する場合に、印字した枚数に応じて１回当たりのスピット量（吐出量）を変化させることが出来、無駄なインクの消耗を防ぎ、本来のインクヘッド（インクタンク）中のインクの含有量から得られるべき印字枚数が得られるスピット制御方法、及びそのスピット制御方法を行うインクジェット式印字装置を実現することが出来る。
【００７７】本発明に係る記録媒体を読取ったインクジェット式印字装置によれば、無駄なインクの消耗を防ぎ、本来のインクヘッド（インクタンク）中のインクの含有量から得られるべき印字枚数が得られるスピット制御方法を行うインクジェット式印字装置を実現することが出来る。
【００７８】本発明に係る記録媒体に記録してあるコンピュータプログラムを読取ったインクジェット式印字装置及びコンピュータによれば、大容量の印字データでもコンピュータ側で判定処理され、インクジェット式印字装置側には、判定する手段が不要となり、無駄なインクの消耗を防ぎ、本来のインクヘッド（インクタンク）中のインクの含有量から得られるべき印字枚数が得られるスピット制御方法、そのスピット制御方法を行うインクジェット式印字装置、及びそのスピット制御方法を行うコンピュータを実現することが出来る。
【００７９】本発明に係る記録媒体を読取ったインクジェット式印字装置によれば、印字データを複数枚分取り込んで印字する場合に、インクヘッドの温度に応じて１回当たりのスピット量（吐出量）を変化させることが出来、無駄なインクの消耗を防ぎ、本来のインクヘッド（インクタンク）中のインクの含有量から得られるべき印字枚数が得られるスピット制御方法を行うインクジェット式印字装置を実現することが出来る。
【００８０】本発明に係る記録媒体を読取ったインクジェット式印字装置によれば、一度に印字データを複数枚分取り込んで印字する場合に、印字した枚数に応じて１回当たりのスピット量（吐出量）を変化させることが出来、無駄なインクの消耗を防ぎ、本来のインクヘッド（インクタンク）中のインクの含有量から得られるべき印字枚数が得られるスピット制御方法を行うインクジェット式印字装置を実現することが出来る。」
　
４　当初明細書の記載から把握される事項
　上記３の記載から、スピット制御方法、インクジェット式印字装置、コンピュータプログラム及び記録媒体に関する発明に関して、次の４つの技術事項が把握される。
（１）前回のスピット時点から使用した黒、シアン、マゼンタ及びイエローの各色、及び爾後のスピット時点迄に使用する黒、シアン、マゼンタ及びイエローの各色を判定する為のメモリを装備し、
　パーソナルコンピュータから送られて来た１ページ分のデータ中で使用されている黒、シアン、マゼンタ及びイエローのデータを受取り、印字を開始し、
　印字処理中にスピット動作を実行するときは、受取ったデータ中の各色インクの使用状況、すなわち、前記各色印字データの各色毎に、前回スピット動作から使用されたか否かと爾後のスピット動作迄に使用されるか否かとを判定し、
　その判定結果に基づき、前回スピット動作を行った時点から爾後のスピット時点迄に使用する（使用した）インクと使用しない（使用しなかった）インクに対してスピット動作を次のアないしエのように異ならせるスピット処理を実行すること。（上記３のイ参照。）
　ア　前回スピット動作を行った時点から爾後のスピット時点迄にシアンインクを使用する（使用した）と判定したときは、シアンインクのスピット動作を実行し、前回スピット動作を行った時点から爾後のスピット時点迄にシアンインクを使用しない（使用しなかった）と判定したときは、シアンインクのスピット動作を実行しない。
　イ　前回スピット動作を行った時点から爾後のスピット時点迄にマゼンタインクを使用する（使用した）と判定したときは、マゼンタインクのスピット動作を実行し、前回スピット動作を行った時点から爾後のスピット時点迄にマゼンタインクを使用しない（使用しなかった）と判定したときは、マゼンタインクのスピット動作を実行しない。
　ウ　前回スピット動作を行った時点から爾後のスピット時点迄にイエローインクを使用する（使用した）と判定したときは、イエローインクのスピット動作を実行し、前回スピット動作を行った時点から爾後のスピット時点迄にイエローインクを使用しない（使用しなかった）と判定したときは、イエローインクのスピット動作を実行しない。
　エ　前回スピット動作を行った時点から爾後のスピット時点迄に黒インクを使用する（使用した）と判定したときは、黒インクのスピット動作を実行し、前回スピット動作を行った時点から爾後のスピット時点迄に黒インクを使用しない（使用しなかった）と判定したときは、黒インクのスピット動作は実行しない。
（２）パーソナルコンピュータ１２から送られて来た１ページ分のデータ中で使用されている黒、シアン、マゼンタ及びイエローのデータを受取り、印字を開始し、
　印字処理中にスピット動作を実行するときは、パーソナルコンピュータに問い合わせ、その各色インクの使用状況データを受取ったときに、
　その使用状況データに基づき、前回スピット動作を行った時点から爾後のスピット時点迄に使用する（使用した）インクと使用しない（使用しなかった）インクに対してスピット動作を次のアないしエのように異ならせるスピット処理を実行すること。（上記３のウ参照。）
　ア　前回スピット動作を行った時点から爾後のスピット時点迄にシアンインクを使用する（使用した）と判定したときは、シアンインクのスピット動作を実行し、前回スピット動作を行った時点から爾後のスピット時点迄にシアンインクを使用しない（使用しなかった）と判定したときは、シアンインクのスピット動作を実行しない。
　イ　前回スピット動作を行った時点から爾後のスピット時点迄にマゼンタインクを使用する（使用した）と判定したときは、マゼンタインクのスピット動作を実行し、前回スピット動作を行った時点から爾後のスピット時点迄にマゼンタインクを使用しない（使用しなかった）と判定したときは、マゼンタインクのスピット動作を実行しない。
　ウ　前回スピット動作を行った時点から爾後のスピット時点迄にイエローインクを使用する（使用した）と判定したときは、イエローインクのスピット動作を実行し、前回スピット動作を行った時点から爾後のスピット時点迄にイエローインクを使用しない（使用しなかった）と判定したときは、イエローインクのスピット動作を実行しない。
　エ　前回スピット動作を行った時点から爾後のスピット時点迄に黒インクを使用する（使用した）と判定したときは、黒インクのスピット動作を実行し、前回スピット動作を行った時点から爾後のスピット時点迄に黒インクを使用しない（使用しなかった）と判定したときは、黒インクのスピット動作は実行しない。
（３）パーソナルコンピュータから送られて来た複数ページ分のデータ中で使用されている黒、シアン、マゼンタ及びイエローのデータを受取り、印字を開始し、
　印字処理中にスピット動作を実行するときは、黒インクヘッド及びカラーインクヘッドの温度センサからインクヘッドの温度データを読込み、読込んだ温度データに基づき、インクヘッドの温度が高いときに比べて、インクヘッドの温度が低いときほど、インクヘッドからのインクのスピット量（ドット数）を増加させるようなインクヘッド温度及びスピット量（ドット数、吐出量）の対応表を参照して、黒インクヘッド及びカラーインクヘッドのスピット量を決定し、決定したスピット量により、黒インクヘッド及びカラーインクヘッドのスピット処理を実行すること。（上記３のエ参照。）
（４）１枚分の印字処理が終了したときは、印字処理済みの枚数（頁数）に１を加算し、その加算した印字処理枚数を記憶するか、あるいは、パーソナルコンピュータから印字処理済みの枚数が送られるようにして、
　パーソナルコンピュータから送られて来た複数ページ分のデータ中で使用されている黒、シアン、マゼンタ及びイエローのデータを受取り、印字を開始し、
　印字処理中にスピット動作を実行するときは、計数し認識した印字処理済みの枚数（頁数）に基づき、印字枚数が少ないときは１回のスピット量を多く設定し、印字枚数の増加に伴い、１回のスピット量が減少していくような印字枚数及びスピット量（ドット数、吐出量）の対応表を参照して、黒インクヘッド及びカラーインクヘッドのスピット量を決定し、決定したスピット量により、黒インクヘッド及びカラーインクヘッドのスピット処理を実行すること。（上記３のオ参照。）
　
５　本件補正が当初明細書に記載の事項の範囲内かどうかについての判断
（１）補正内容（１）ないし（４）について
　上記１の（１）ないし（４）の補正内容により、本件補正後の請求項１ないし４に係る発明は、上記２のとおりとなった。
　これらの発明は、要するに、「印字処理中に印字した頁数を認識し、認識した頁数が多い程、スピット動作の吐出量を少なく定めること」と、「スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略すること」とを併せ備えたものである。
　上記「印字処理中に印字した頁数を認識し、認識した頁数が多い程、スピット動作の吐出量を少なく定めること」は、上記４の（４）の技術事項として、当初明細書の記載から把握できる事項であり、上記「スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略すること」は、上記４の（１）及び（２）の技術事項として、当初明細書の記載から把握できる事項である。
　しかし、「『印字処理中に印字した頁数を認識し、認識した頁数が多い程、スピット動作の吐出量を少なく定めること』と、『スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略すること』とを併せ備える」との技術事項は、当初明細書のすべての記載を総合することにより導かれる技術的事項とはいえない。
　
（２）補正内容（５）及び（６）について
　本件補正前に【０００９】及び【００１１】にそれぞれ記載されていた事項は「印字処理中に印字した頁数を認識し、認識した頁数が多い程、スピット動作の吐出量を少なく定める」との技術事項であって上記４の（４）の技術事項であり、上記１（５）の補正内容により追加される「スピット動作の処理を行う場合に、第１判定手段が、各色印字データの各色毎に、前回スピット動作から印字されたか否かを判定し、第２判定手段が、各色印字データの各色毎に、爾後のスピット動作迄に印字されるか否かを判定し、第１判定手段が印字されなかったと判定し、かつ第２判定手段が印字されないと判定した印字データの色インクは、スピット動作を省略する。」との事項及び上記１（６）の補正内容により追加される「内蔵したコンピュータに、スピット動作の処理を行わせる場合に、各色印字データの各色毎に、前回スピット動作から印字されたか否かと、爾後のスピット動作迄に印字されるか否かとを判定させ、印字されなかったと判定し、かつ印字されないと判定した印字データの色は、内蔵したコンピュータに、スピット動作を省略させる。」との事項はいずれも上記４の（１）及び（２）の技術事項である。
　本件補正後の【０００９】及び【００１１】の記載は、上記１（５）及び（６）の補正内容により「『印字処理中に印字した頁数を認識し、認識した頁数が多い程、スピット動作の吐出量を少なく定めること』と、『スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略すること』とを併せ備える」との技術事項になったが、この技術事項は上記（１）で述べたように、当初明細書のすべての記載を総合することにより導かれる技術的事項とはいえない。
　
（３）補正内容（７）及び（８）について
　本件補正前に【００２９】ないし【００３４】に記載されていた実施の形態は、上記４の（４）の技術事項に関するものであり、上記４の（４）の技術事項は、「インクヘッドの温度の上昇につれて、インクヘッドからインクが吐出し易くなる。」との知見（上記３のエ【００６２】ないし【００６５】）及び「インクヘッドの温度は、インクジェットプリンタの、連続印字枚数の増加に従って上昇する」との知見（上記３のオ【００７０】及び【００７１】）に基づいて創造されたものであって、上記４の（４）の技術事項は、印字枚数が少ないときは１回のスピット量を多く設定するものであり、かつ、当初明細書の【図１２】には、印字枚数が「Ｎ≦２」の場合スピット量が「１，０００」と記載されている。
　これらのことからみて、印字処理済みの枚数（頁数）が０であるとき、ヘッドの温度は低く、インクヘッドからインクが吐出し難く、スピット量は多く（１，０００）設定してスピット動作を行うことが、当初明細書から把握されるところ、上記１の（７）の補正内容により追加される「また、印字処理済みの枚数（頁数）が０である黒インクヘッド９、カラーインクヘッド１０のスピット動作は行わない。」との事項及び上記１の（８）の補正内容により追加される「但し、印字処理済みの枚数（頁数）が０である色のインクヘッドのスピット動作は不要であるので行わない。」との事項は、当初明細書のすべての記載を総合することにより導かれる技術的事項とはいえない。
　
（４）まとめ
　上記（１）ないし（３）からみて、本件補正は、当初明細書のすべての記載を総合することにより導かれる技術的事項との関係において、新たな技術的事項を導入しないものとはいえない。
　よって、本件補正は、当初明細書に記載された事項の範囲内でなされたものではないから、平成１４年法律第２４号改正附則第３条第１項によりなお従前の例によるとされる同法による改正前の特許法第１７条の２第３項の規定に違反するものである。
　
６　本件補正の目的
　上記１の（１）の補正内容は、特許請求の範囲についてするもので、補正前の請求項１に記載されていた発明特定事項である「各色印字データ」及び「スピット動作」についての相互の関係を「スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略する」と限定するものであるから、平成１４年法律第２４号改正附則第２条第１項によりなお従前の例によるとされる同法による改正前の特許法第１７条の２第４項第２号の請求の範囲の減縮を目的とするものである。
　
　そこで、本件補正後の請求項１に係る発明（以下「本願補正発明」という。）が、特許出願の際独立して特許を受けることができるものかについて以下検討する。
　
（１）引用例
　ア　原査定の拒絶の理由に引用された本願の出願前に頒布された刊行物である特開平７−４７６９６号公報（以下「引用例１」という。）には、図とともに次の事項が記載されている。
（ア）「【０００１】
【産業上の利用分野】本発明はインクジェット記録装置に関し、詳しくは、該装置で用いる記録ヘッドの吐出回復処理に関するものである。
【０００２】
【従来の技術】一般に、
インクジェット記録装置
記録ヘッドを備え
非記録時
において、上記吐出口からの記録液（以下、インクともいう）溶媒の蒸発によりインク粘度が増大し、これによって吐出インク量の減少、吐出方向の偏向等の吐出不良を生ずる
問題があった
【０００３】この問題は記録時においても同様に生じ得る。すなわち記録時には複数の吐出口より選択的にインクを吐出させて画像を形成させるため、個々のノズルに関してみればインク吐出を伴わずに先端の吐出口が外気に触れたままの状態も起こる。従ってそのノズルにおいては前述のインク粘度の増大が生ずる。
【０００４】
従来、このような問題に対しては、次のような吐出回復処理が採られていた
既に増粘したインクを除去する目的で、記録に無関係なインク吐出を所定の場所で行う（以下、予備吐出という）ことで、吐出不良を未然に防止する
【０００５】さらに
記録中における不使用ノズルの回復処理としては、記録中の一定期間おきに予備吐出を繰り返す手法が採られていた
【０００６】また、粘度上昇がさらに進行したインクを除去する目的で、吐出口からキャップを介してインクを吸引したり、あるいは記録ヘッドに対するインク供給系からインクを加圧する処理（以下、それぞれ吸引ないしは加圧回復処理という）を行うこともある。
【０００７】
【発明が解決しようとする課題】しかしながら、このような従来の吐出回復処理に問題点がないわけではない。
【０００８】すなわち、
吐出口からのインク溶媒の蒸発は、非記録時間の経過に伴って進行し、記録動作を開始する際の上記経過時間は装置の使用条件等によって様々であるため、予備吐出の吐出数を、その蒸発の進行がある程度飽和に達しインク増粘が比較的大である状態に対処できるものに設定しておく必要がある
【０００９】なお、吐出面にキャップを当接し蒸発を抑制する場合でも、吐出口からのインク溶媒の蒸発を完全に防止することができるわけではないため、上記予備吐出の吐出数の設定について同様のことがいえる。また、蒸発がさらに進行した場合には、前述の吸引または加圧回復処理を適用する必要があり、場合によっては、予備吐出のみでは吐出不良を招くこともあり得る。
【００１０】さらに
記録中の不使用ノズルの回復処理では、全てのノズルに安定吐出をさせるためには、ノズルごとの使用頻度によらず最大粘度増大に合わせた予備吐出が必要
【００１１】以上のような予備吐出の吐出数設定を行う場合、例えば、
非記録時間が比較的短い場合
は必要数以上の予備吐出が行われるときもあり、その結果、記録以外に使用されるインクの量が多くなり、ランニングコストを上昇させることも少なくない
【００１２】本発明は、上述の問題点に着目してなされたものであり、その目的とするところは、予備吐出による不必要なインク消費を低減し効率的なインク使用を行うことを可能にしたインクジェット記録装置を提供することにある。
【００１３】
【課題を解決するための手段】そのために本発明では、インクを吐出するための吐出口を備えた記録ヘッドを用い、該記録ヘッドから被記録媒体にインクを吐出して記録を行うインクジェット記録装置において、前記記録ヘッドからインクを排出させることにより当該記録ヘッドの所定の吐出性能を維持するための吐出性能維持回復手段と、
前記記録ヘッドの吐出口からの所定期間の吐出数
記吐出数に基づき、
インク排出量を定める
…略…
【００１５】
【作用】以上の構成によれば、計数手段が計数する吐出数や記録待機時間に基づいて、
吐出回復処理におけるインク排出量を適切に定めることができるため、計数吐出数が多いときや記録待機時間が短いときにはインク排出量を少なくすることができ、吐出回復処理において不必要なインク消費を低減できる
　
（イ）「【００１６】
【実施例】以下図面を参照して本発明の実施例を詳細に説明する。
【００１７】（第１の実施例）図１は本発明の第１実施例にかかるインクジェットプリンタの斜視図を示す。キャリッジ１０１は記録ヘッド１０２およびカートリッジガイド１０３を搭載し、ガイド軸１０４および１０５上を不図示の走査機構によって走査可能に設けられる。記録用紙１０６は給紙ローラ１０７によって本体装置内に送り込まれ紙送りローラ１０８とピンチローラ（不図示）および紙押さえ板１０９とによって挟まれながら、記録ヘッド１０２の前面へと送られ記録がなされる。インクカートリッジはイエロー、マゼンタ、シアンの３色を収納したカラーカートリッジ１１０と、ブラックカートリッジ１１１の２種類でそれぞれ別々にカートリッジガイド１０３に挿入され、記録ヘッド１０２と連通する。符号１１２は非印字領域に設置される予備吐出受けを示し、その内部にはインク吸引体が設けられる。
【００１８】図２は記録ヘッド１０２の詳細を示す図であり、ここにおいて、記録ヘッド１０２の前面部には、イエロー、マゼンタ、シアン、ブラックの吐出口群が一直線上に配設される、それぞれの吐出口群は、イエロー、マゼンタ、シアンについて２４個、ブラックについて６４個の吐出口をそれぞれ有し、各吐出口群の間は、吐出口ピッチ以上の間隔を有する。
…略…
【００２０】図３は吐出データのドット数をカウントするカウンタ回路のブロック図を示し、上記インクジェット記録装置量の制御部内に設けられるものである。
【００２１】
イエロー、マゼンタ、シアン、ブラック用の吐出信号
【００２２】図４は、本実施例の予備吐出制御を示すフローチャートである。
【００２３】ステップＳ１で１スキャン終了が否かをチェックし、１スキャン終了の場合、ステップＳ２で各色のドットカウンタ値を読みだし、図３に示すＲＡＭ３１３内に記憶しておく。次に、ステップＳ３で、カウンタ回路３０７をリセット信号によりドットカウンタ値をクリアする。ステップＳ４では上記記憶した吐出数に基づきカラーヘッドの場合は図５（Ａ）に示すドットカウンタ値予備吐出数変換テーブルを参照し、ブラックヘッドの場合は、図５（Ｂ）に示すドットカウンタ値予備吐出数変換テーブルを参照し、予備吐出数を決定する。ステップＳ５では上記決定した吐出数に基づいて予備吐出動作を行なう。この予備吐出動作は、カラーカートリッジ、ブラックカートリッジを搭載するキャリッジを前述の予備吐出受け位置（図１の１１２参照）まで移動させてインクを吐出をさせる。
【００２４】ステップＳ６で、記録終了か否かを判断し終了でない場合はステップＳ１に戻り記録終了の場合には、本処理を終了する。
【００２５】以上の予備吐出制御によれば、例えばブラックヘッドのみのモードで全吐出口から吐出する記録を行なった場合、従来の制御では吐出数に関係なく２００発の予備吐出を行なうが、本例では、吐出数が１８４３２０なので図５（Ｂ）の最下段１８００００以上にあてはまり予備吐出数は２０発となる。このように、従来と比較してインクの消費量が少ない予備吐出を行うことができる。
【００２６】なお、上記実施例は吐出数のカウントをヘッド全体に対して行ったが、吐出数のカウントはヘッド全体よりもヘッド内のノズルの所定のブロック毎、またはより好ましくはノズル毎に行い、予備吐出数もそれに応じて変えた方がより効果が高くなる。これによれば、吐出数の多いノズルと少ないノズルそれぞれに適切な予備吐出を行うことができる。このような例を次の実施例に示す。
【００２７】（第２実施例）前述の第１実施例では、イエロー、マゼンタ、シアン、ブラック用の４色分のドットカウンタ回路を用いて吐出数をカウントし、各色単位で予備吐出の吐出数を変化させていたが、本実施例ではさらに各吐出口単位の吐出数をカウントするドットカウンタ回路を具備し、吐出口単位で予備吐出の吐出数を変化させる例を示すものである。」
　
（ウ）「【００６２】また、
搭載される記録ヘッドの種類ないし個数について
記録色や濃度を異にする複数のインクに対応して複数個数設けられるものであってもよい
　
（エ）カラー用ドットカウンタ予備吐出数変換テーブルを示す図５（Ａ）から、ドットカウンタ値が２４９９９以下の場合予備吐出数が２００であり、ドットカウンタ値が５０００増える毎に予備吐出数が２０減少し、ドットカウント値が６５０００以上の場合予備吐出数が２０となることが見て取れる。
　
（オ）ブラックドットカウンタ予備吐出数変換テーブルを示す図５（Ｂ）から、ドットカウンタ値が１９９９９以下の場合予備吐出数が２００であり、ドットカウンタ値が２００００増える毎に予備吐出数が２０減少し、ドットカウント値が１８００００以上の場合予備吐出数が２０となることが見て取れる。
　
（カ）上記（ア）ないし（オ）からみて、引用例１には、
「インクを吐出するための吐出口を備えた記録ヘッドから被記録媒体にインクを吐出して記録を行うインクジェット記録装置において、非記録時の吐出口からのインク溶媒の蒸発でインク粘度が増大したインクを除去する目的で、記録に無関係なインク吐出を所定の場所で行い吐出不良を未然に防止する予備吐出を、記録中の一定期間おきに繰り返す予備吐出の制御方法であって、
　前記記録ヘッドの吐出口からの所定期間の吐出数に基づき予備吐出量を定めて前記記録ヘッドからインクを予備吐出させることにより、当該記録ヘッドの所定の吐出性能を維持し、吐出回復処理におけるインク排出量を適切に定め、計数吐出数が多いときにはインク排出量を少なくすることができ、吐出回復処理における不必要なインク消費を低減するインクジェット記録装置の予備吐出制御方法。」の発明（以下「引用発明」という。）が記載されているものと認められる。
　
　イ　平成１８年４月２７日付け拒絶理由通知で通知された拒絶の理由に引用された本願の出願前に頒布された刊行物である特開２０００−１５８３５号公報（以下「引用例２」という。）には、図とともに次の事項が記載されている。
（ア）「【請求項１３】  複数のインク吐出口からインクを吐出可能なプリントヘッドを用いて被プリント媒体に画像をプリントし、かつ前記プリントヘッドから画像のプリントに寄与しないインクを排出させる回復処理を実施可能なインクジェットプリント方法において、
　前記複数のインク吐出口の中から、前記回復処理を必要とするインク吐出口を設定し、
　その設定されたインク吐出口のみから画像のプリントに寄与しないインクを排出させて前記回復処理をすることを特徴とするインクジェットプリント方法。」
　
（イ）「【０００７】本発明の目的は、
プリントヘッドの回復処理のために排出されるインクの消費量を抑えつつ、プリントヘッドの回復処理を確実に実施し
　
（ウ）「【００１１】（第１の実施形態）図１は、本発明の実施形態としてのフルカラーのインクジェットプリント装置の断面図である。本例のプリント装置は、給紙装置１、用紙搬送装置２、プリントヘッド３、ノズル面の密閉装置４、およびスタッカー５等を備えている。以下、それらの構成について説明する。
【００１２】給紙装置１は、被プリント媒体としての用紙１２をプリント装置本体に供給するものである。この給紙装置１には、用紙１２がセットされるトレイ１１、用紙１２を給紙するピックアップローラ１３、そのピックアップローラ１３によって給紙された用紙１２を用紙搬送装置２へ導く搬送ローラ１４、１５、用紙１２の重送を防止する分離ガイド１６、用紙１２の斜行を補正するシャッター１７等から構成されている。
プリントヘッド３は、フルカラーの画像をプリントするために最低４色（ブラック、シアン、マゼンタ、イエロー）のインクを吐出するプリントヘッド３１、３２、３３、３４を備えた構成となっている
【００１３】プリントヘッド３１、３２、３３、３４のそれぞれの下面はノズル面、つまりインク吐出口の形成面とされている。それらのノズル面には、図１中紙面の表裏方向に沿って列状に並ぶ複数のノズルが形成されており、それらのノズルによって、図１中の下向きに開口するインク吐出口が形成されている。プリントヘッド３１、３２、３３、３４は、ノズル内に設置されたヒータボードや圧電素子の働きにより、インク吐出口からインク滴を下向きに吐出するようになっている。以下においては、プリントヘッド３１、３２、３３、３４をまとめてプリントヘッド３ともいう。
【００１４】ノズル面の密閉装置４には、プリントヘッド３のノズル面を拭くブレード４１と、インク供給装置によるインクの加圧によってインク吐出口から強制排出されたインクを吸収するための吸収体４２と、プリントヘッド３のノズル面を覆ってインク吐出口を密閉するためのゴム材質製のキャップ４３等が備えられている。回復装置６は、プリントヘッド３が図中実線の退避位置にあるときに、図示しない駆動系によって、図中の実線のようにプリントヘッド３の直下に移動される。また、回復装置６は、プリントヘッド３が図中２点鎖線のプリント位置にあるときに、図中の２点鎖線のように横方向に移動して退避する。
【００１５】図２は、用紙搬送装置２の平面図である。用紙搬送装置２は、用紙１２をプリント装置の用紙出口まで導くものであり、用紙１２を搬送する３本の搬送ベルト２１ａ、２１ｂ、２１ｃ（これらをまとめて、「搬送ベルト２１」ともいう）、搬送ベルト２１の駆動力を発生するモーター２２、搬送ベルト２１を駆動するためのプーリ２３ａ，２３ｂ，２３ｃ（これらをまとめて、「プーリ２３」ともいう）、用紙１２の先端を検知する紙センサー２７、用紙１２を搬送ベルト２１に導くローラー２４、プリント装置の用紙出口に用紙１２を導くための排紙ローラー２５、２６等から構成されている。搬送ベルト２１ａ、２１ｂ、２１ｃにおいて、プリントヘッド３１、３２、３３、３４の直下に位置する部位は、従動プーリ２８によって下方に屈曲されており、その屈曲部によって形成される空間内に回復装置６が配備されている。
【００１６】回復装置６は、回復フレーム６２内に、インクの吸収体６１を備えた構成となっている。吸収体６１は、インクを容易に吸収するように、多孔質材などによって形成されている。プリントヘッド３１、３２、３３、３４は、プリント動作中に、吸収体６１に向かって画像のプリントに寄与しないインクを吐出、つまり予備吐出することによって、スループット性能を損なうことなく回復処理される。その場合、プリントヘッド３１、３２、３３、３４は、その直下に、連続的に搬送される用紙１２の相互間の隙間（以下、「紙間」という）が形成されたときに、その紙間に向かって画像のプリントに寄与しないインクを吐出する。したがって、そのインクは、用紙１２に当たることなく、紙間を通って吸収体６１にて受けられることになる。
【００１７】スタッカー５は、画像がプリントされた用紙１２をストックするためのものであり、用紙１２を排紙トレイ５３へ導く排紙ローラ５１、５２等を備えている。排紙トレイ５３は、その用紙１２をストックする。
【００１８】次に、用紙１２の給紙から、画像のプリント、さらにプリント済みの用紙１２がスタッカー５にストックされるまでの動作を図１を参照して簡単に説明する。給紙装置１から用紙搬送装置２に導かれた用紙１２は、モーター２２、プーリ２３により駆動される搬送ベルト２１上に導かれる。用紙１２の先端を紙センサー２７により検知してプリントのタイミングを計り、用紙１２がプリントヘッド３１、３２、３３、３４の下方を通過する際に、それらのプリントヘッド３１、３２、３３、３４からインクを吐出して、画像をプリントする。画像がプリントされた用紙１２は、モーター２２によって駆動される排紙ローラー２５、２６まで、搬送ベルト２１によって導かれる。その用紙１２は、さらに、排紙ローラ５１、５２によって排紙トレイ５３に導かれる。
【００１９】図３は、プリント開始前の回復処理を説明するためのフローチャートである。
【００２０】まず、プリント指令が出されてから（ステップＳ１）、回復装置４によって、プリントヘッド３のプリント前回復動作、つまりプリント開始前に、インク吐出口から画像のプリントに寄与しないインクを排出させる回復動作（ステップＳ２）を行う。その後、プリントヘッド３が図１中実線の退避位置から図１中２点鎖線のプリント位置へ移動し（ステップＳ３）、画像をプリントするためのインクを吐出するプリント動作（ステップＳ４）を開始する。そして、連続的なプリント動作の終了後、プリントヘッド３が図１中実線の退避位置に戻って（ステップＳ５）、プリントを終了する（ステップＳ６）。
【００２１】図４は、連続的なプリント動作（ステップＳ４）中において、割り込み処理される予備吐出回復処理を説明するためのフローチャートである。
【００２２】まず、プリント動作の連続時間Ｔと所定の基準時間Ｔｋとを比較し（ステップＳ７）、プリント動作の連続時間Ｔが基準時間Ｔｋを越えなければ図３のフローに戻る。
【００２３】一方、プリント動作の連続時間Ｔが基準時間Ｔｋを越えたときは、
予備吐出回復の指令（ステップＳ８）が出され、ステップＳ９において、次回の予備吐出回復を実行するまでの間においてプリントすべき画像データを読み込む。すなわち、今回実行する後述の予備吐出回復（ステップＳ１４、Ｓ１５）の後から、次回実行する同様の予備吐出回復（ステップＳ１４、Ｓ１５）までの期間において、用紙１２にプリントすべき画像データ（以下、「プリント予定の画像データ」という）を読み込む。それから、そのプリント予定の画像データに基づき、その画像をプリントすべくインクを吐出するノズルを割り出し（ステップＳ１０）、そのノズルを回復処理が必要な回復必要ノズルとする
全てのプリントヘッド３１、３２、３３、３４について割り出す
その回復必要ノズルのみを予備吐出回復を行う予備吐出回復ノズルとして設定する（ステップＳ１１）
【００２４】そして、紙センサー２７によって、次に搬送されてくる用紙１２の先端を検知し（ステップＳ１２）、その前に搬送されてきた用紙１２の後端がブラックインク吐出用のプリントヘッド（以下、「ブラックヘッド」という）３１との対向位置を通過した後（ステップＳ１３）に、
用紙１２の紙間に向かって、ブラックヘッド３１から画像のプリントに寄与しないインクを吐出して予備吐出回復を行う（ステップＳ１４）。その際、ブラックヘッド３１は、先のステップＳ１１にて設定された予備吐出回復ノズルのみから、画像のプリントに寄与しないインクを吐出する。したがって、予備吐出回復されるノズルが予備吐出回復ノズルのみに限定されることになる。同様に、用紙１２の後端がプリントヘッド３２、３３、３４の下方位置を通過する毎に、用紙１２の紙間に向かって、先のステップＳ１１にて設定された各プリントヘッド３２、３３、３４の予備吐出回復ノズルから、画像のプリントに寄与しないインクを吐出して予備吐出回復を行う（ステップＳ１５）
【００２５】このように、プリント動作の連続時間Ｔが基準時間Ｔｋを越える毎に、用紙１２の紙間の通過に合わせて、プリントヘッド３のノズルから画像のプリントに寄与しないインクを吐出して、予備吐出回復を行う。その際は、上述したように、次回の予備吐出回復までの期間中にインクを吐出する予定のノズルのみから、インクを吐出して予備吐出を行う。したがって、回復処理のために吐出されるインク量を抑えつつ、インクの不吐出を回避することができることになる
【００２６】なお、ステップＳ８からＳ１１のように予備吐出回復ノズルを限定するための作業のタイミングは、上述したタイミングのみに特定されず、予備吐出回復を実行する前の任意のタイミングであればよい。また、予備吐出回復の実行時期の判断基準は、上述したように時間のパラメータを用いる他、他のパラメータを用いたり、複数のパラメータを組み合わせてもよい。そのパラメータとしては、例えば、インクの吐出量の積算値を用いることもできる。」
　
（エ）上記（ア）ないし（ウ）からみて、引用例２には次の事項が記載されているものと認められる。
「フルカラーの画像をプリントするためにインク吐出口からインクを吐出可能な最低４色（ブラック、シアン、マゼンタ、イエロー）のプリントヘッドを用いて被プリント媒体に画像をプリントし、かつ前記プリントヘッドから画像のプリントに寄与しないインクを排出させる回復処理を実施可能なインクジェットプリント方法において、
　プリントヘッドの回復処理のために排出されるインクの消費量を抑えつつ、プリントヘッドの回復処理を確実に実施するために、
　予備吐出回復の指令が出されると、次回の予備吐出回復を実行するまでの間においてプリントすべき画像データを読み込み、そのプリント予定の画像データに基づき、その画像をプリントすべくインクを吐出するノズルを全てのプリントヘッドについて割り出し、そのノズルのみを予備吐出回復ノズルとして設定し、設定された予備吐出回復ノズルのみから、画像のプリントに寄与しないインクを予備吐出すること。」
　
（２）対比
　本願補正発明と引用発明とを対比する。
　ア　引用発明の「記録を行う」、「記録中」、「記録ヘッド」、「インク粘度が増大したインクを除去する目的で」、「記録に無関係なインク吐出を所定の場所で行い吐出不良を未然に防止する予備吐出」、「インクジェット記録装置」、「予備吐出制御方法（予備吐出の制御方法）」、「予備吐出量」、「『多いときには』、『少なくする』」及び「記録ヘッドの吐出口からの所定期間の吐出」は、それぞれ、本願補正発明の「印字処理」、「印字処理中」、「インクヘッド」、「インクヘッドを清掃する為に」、「インクを所定箇所へ吐出するスピット動作」、「インクジェット式印字装置」、「スピット制御方法」、「スピット動作の吐出量」、「『多い程』、『少なく定め』」及び「印字処理中に印字」に相当する。
　
　イ　引用発明の「記録ヘッドの吐出口からの所定期間の吐出数」と本願補正発明の「前記印字処理中に印字した頁数を認識し、認識した頁数」とは、「印字処理中の印字量」である点で一致するといえる。
　
　ウ　したがって、本願補正発明と引用発明とは、
「印字処理中に行われ、インクヘッドを清掃する為に、インクを所定箇所へ吐出するスピット動作を制御するインクジェット式印字装置のスピット制御方法において、
　前記印字処理の印字量が多い程、前記スピット動作の吐出量を少なく定めるスピット制御方法。」の点（以下「一致点」という。）で一致し、次の点で相違している。
　
相違点１：
　本願補正発明では、前記印字処理が「入力されたカラー画像データの各色印字データに基づく」ものであり、前記インクヘッドが「各色の」のものであり、前記インクが「各色」のインクであるのに対して、引用発明では、そのようなものかどうか明らかでない点。
　
相違点２：
　前記印字処理の印字量が、本願補正発明では「印字処理中に印字した頁数を認識した頁数」であるのに対して、引用発明では、「記録ヘッドの吐出口からの所定期間の吐出数」であって「頁数」ではない点。
　
相違点３：
　本願補正発明においては、「スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略する」のに対して、引用発明ではそのようにしていない点。
　
（３）判断
　上記相違点１ないし３について検討する。
　ア　相違点１について
　引用例１には、「イエロー、マゼンタ、シアン、ブラック用の吐出信号」（上記（１）ア（イ）【００２１】参照。）、「搭載される記録ヘッドの種類ないし個数について…略…記録色や濃度を異にする複数のインクに対応して複数個数設けられるものであってもよい。」（上記（１）ア（ウ）【００６２】参照。）とも記載されているから、引用発明において、各色のインクヘッドと、各色インクを用い、入力されたカラー画像データの各色印字データに基づいて印字処理をするようになして、上記相違点１に係る本願補正発明の構成となすことは、引用例１に記載の事項に基づいて当業者が容易になし得た程度のことである。
　
　イ　相違点２について
　印字装置において印字処理の印字量を頁数（印字枚数）で認識することは常套手段であるから、「印字処理の印字量が多い程、前記スピット動作の吐出量を少なく定めるスピット制御方法」である引用発明において、「印字処理の印字量」である「記録ヘッドの吐出口からの所定期間の吐出数」が多い程、前記スピット動作の吐出量を少なく定めるのに代えて、印字装置が通常備えている「頁数（印字枚数）をカウントする手段」がカウントした頁数（印字枚数）が多い程、前記スピット動作の吐出量を少なく定めるようにすること、すなわち、引用発明において上記相違点２に係る本願補正発明の構成となすことは、上記常套手段に基づいて当業者が容易に想到することができたものである。
　
　ウ　相違点３について
（ア）引用発明は、吐出回復処理における不必要なインク消費を低減するものであるところ、引用例２には、プリントヘッドの回復処理のために排出されるインクの消費量を抑えつつ、プリントヘッドの回復処理を確実に実施するために「予備吐出回復の指令が出されると、次回の予備吐出回復を実行するまでの間においてプリントすべき画像データを読み込み、そのプリント予定の画像データに基づき、その画像をプリントすべくインクを吐出するノズルを全てのプリントヘッドについて割り出し、そのノズルのみを予備吐出回復ノズルとして設定し、設定された予備吐出回復ノズルのみから、画像のプリントに寄与しないインクを予備吐出する」事項が記載されている（上記（１）イ（エ）参照。）から、引用発明において、各色のインクヘッドと、各色インクを用い、入力されたカラー画像データの各色印字データに基づいて印字処理をするように（上記ア参照。）なして、スピット動作の処理を行う（予備吐出回復の指令が出された）場合に、「次回のスピット動作（予備吐出回復）を実行するまでの間において印字（プリント）すべき各色印字データ（画像データ）を読み込み、その印字予定の各色印字データに基づき、その画像を印字すべくインクを吐出するノズルを全ての各色インクヘッド（プリントヘッド）について割り出し、そのノズルのみをスピット動作ノズルとして設定し、設定されたスピット動作ノズルのみから、スピット動作でインクを吐出する」ようになすことは、引用例２に記載の事項に基づいて、当業者が容易に想到することができたものである。ここで、各色インクヘッドは対応する色の各色印字データに基づきその色の画像を印字すべくその色インクを吐出することが明らかであるから、各色ヘッド単位でみたとき、１つの色ヘッドの複数のノズルのうち少なくとも１つのノズルがスピット動作ノズルであるなら、その色ヘッドはスピット動作をするスピット動作ヘッドであるといえる。反対に、１つの色ヘッドの複数のノズルの全てがスピット動作ノズルでないならば、その色ヘッドはスピット動作をしないからスピット動作ヘッドではないといえる。
　
（イ）そうすると、上記（ア）で述べたように、引用発明において、スピット動作の処理を行う場合に、爾後のスピット動作迄に印字されるか否かとを判定し（各色印字データを読み込み、その印字予定の各色印字データに基づき、その画像を印字すべくインクを吐出するノズルを全ての各色インクヘッドについて割り出し）、印字されると判定された（吐出する）ノズルのみをスピット動作ノズルとして設定し、設定されたスピット動作ノズルのみから、スピット動作でインクを吐出するようになした場合、スピット動作ノズルが１つでもある色ヘッドはスピット動作ヘッドであり、スピット動作ノズルがまったくない色ヘッドはスピット動作ヘッドではないから、各色印字データの各色毎に、爾後のスピット動作迄に印字されるか否かとを判定し、印字されないと判定された印字データの色はスピット動作を省略することは、引用例２に記載の事項に基づいて、当業者が容易に想到することができたものであるといえる。この場合、爾後のスピット動作迄に印字されないと判定された印字データの色は、前回スピット動作から印字されたか否かに関わらずスピット動作を省略するのであるから、さらに、前回スピット動作から印字されたか否かを判定することに技術上の意味は認められないところ、本願明細書にも次の（ウ）のとおり「前回スピット動作から印字されたか否か」を判定することに設計上の事項を超える技術上の意義は記載されていないから、さらに「前回スピット動作から印字されたか否か」を判定することは当業者が適宜なし得た設計上の事項にすぎない。
　
（ウ）「前回スピット動作から印字されたか否か」を判定することについて、本願明細書には「【００２２】
　インクジェット式印字装置１４の制御部１１は、印字データ形式として、パーソナルコンピュータ１２から送られて来た１ページ分のデータ中で使用されている黒、シアン、マゼンタ及びイエローのデータを受取り（Ｓ２）、印字を開始する（Ｓ４）。
　制御部１１は、印字処理中にスピット（動作）を実行するときは（Ｓ６）、受取った（Ｓ２）データ中の各色インクの使用状況を判定し（Ｓ８）、その判定結果に基づき、各色インクのスピット処理を実行する（Ｓ１０）。
　　　【００２３】
　制御部１１は、スピット処理を実行するとき（Ｓ１０）、前回のスピット時点から使用した黒、シアン、マゼンタ及びイエローの各色、及び爾後のスピット時点迄に使用する黒、シアン、マゼンタ及びイエローの各色を判定する為のメモリを装備し、前回スピット動作を行った時点から爾後のスピット時点までに使用する（使用した）カラーを判定することで、前回スピット動作を行った時点から爾後のスピット時点迄に使用する（使用した）インクと使用しない（使用しなかった）インクに対してスピット動作を異ならせる。
　　　【００２４】
　制御部１１は、スピット処理を実行するとき（Ｓ１０）、シアンインクを、前回スピット動作を行った時点から爾後のスピット時点迄に使用する（使用した）と判定したときは（図６Ｓ２０）、シアンインクのスピット動作を実行する（Ｓ２２）。シアンインクを、前回スピット動作を行った時点から爾後のスピット時点迄に使用しない（使用しなかった）と判定したときは（Ｓ２０）、シアンインクのスピット動作は実行しない。
　　　【００２５】
　制御部１１は、スピット処理を実行するとき（Ｓ１０）、マゼンタインクを、前回スピット動作を行った時点から爾後のスピット時点迄に使用する（使用した）と判定したときは（Ｓ２４）、マゼンタインクのスピット動作を実行する（Ｓ２６）。マゼンタインクを、前回スピット動作を行った時点から爾後のスピット時点迄に使用しない（使用しなかった）と判定したときは（Ｓ２４）、マゼンタインクのスピット動作は実行しない。
　　　【００２６】
　制御部１１は、スピット処理を実行するとき（Ｓ１０）、イエローインクを、前回スピット動作を行った時点から爾後のスピット時点迄に使用する（使用した）と判定したときは（Ｓ２８）、イエローインクのスピット動作を実行する（Ｓ３０）。イエローインクを、前回スピット動作を行った時点から爾後のスピット時点迄に使用しない（使用しなかった）と判定したときは（Ｓ２８）、イエローインクのスピット動作は実行しない。
　　　【００２７】
　制御部１１は、スピット処理を実行するとき（Ｓ１０）、黒インクを、前回スピット動作を行った時点から爾後のスピット時点迄に使用する（使用した）と判定したときは（Ｓ３２）、黒インクのスピット動作を実行する（Ｓ３４）。黒インクを、前回スピット動作を行った時点から爾後のスピット時点迄に使用しない（使用しなかった）と判定したときは（Ｓ３２）、黒インクのスピット動作は実行しない。
　制御部１１は、上述した各色インクについての判定及びスピット処理が終了するとリターンする。」が図６とともに記載されているが、この記載から、爾後のスピット動作迄に印字されるか否かとを判定に加えて「前回スピット動作から印字されたか否か」を判定することについて、設計上の事項を超える技術上の意義は認められない。本願明細書及び図面の他の記載を検討しても同様である。
　なお、本願明細書の記載を総合すると、本願補正発明の「前回スピット動作から印字されたか否かと、爾後のスピット動作迄に印字されるか否かとを判定し、印字されなかったと判定され、かつ印字されないと判定された印字データの色は、スピット動作を省略する」との記載が「印字されなかったと判定され、かつ印字されないと判定された印字データの色」以外の色は、スピット動作を行うことまでも特定するものではないことが明らかである。
　
（エ）上記（ア）ないし（ウ）からして、引用発明において「スピット動作の処理を行う場合に、各色印字データの各色毎に、爾後のスピット動作迄に印字されるか否かとを判定し、印字されないと判定された印字データの色は、スピット動作を省略する」ようになすことは、当業者が引用例１に記載の事項及び引用例２に記載の事項に基づいて容易に想到することができたものであり、さらに「前回スピット動作から印字されたか否か」を判定し、「印字されなかったと判定され」たことを確認することは、設計上の事項にすぎないから、引用発明において、上記相違点３に係る本願補正発明の構成となすことは、当業者が引用例１に記載の事項及び引用例２に記載の事項に基づいて容易になし得た程度のことである。
　
　エ　効果について
　本願補正発明の奏する効果は、引用発明の奏する効果、引用例１に記載の技術事項の奏する効果、引用例２に記載の技術事項の奏する効果及び常套手段の奏する効果から、当業者が予測できた程度のものである。
　
　オ　まとめ
　したがって、本願補正発明は、引用例１に記載された発明、引用例１に記載の技術事項及び引用例２に記載の技術事項に基づいて当業者が容易に発明をすることができたものであるから、特許法第２９条第２項の規定により特許出願の際独立して特許を受けることができないものである。
　
７　小括
　上記５のとおり、本件補正は、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。 
　また、上記６のとおり、本願補正発明は、特許法第２９条第２項の規定により特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項に係る発明は、平成１８年７月１０日付け手続補正によって補正された明細書及び図面の記載からみて、その特許請求の範囲の請求項１ないし４に記載されたとおりのものであると認められるところ、請求項１に係る発明（以下「本願発明」という。）は次のものである。
　
「入力されたカラー画像データの各色印字データに基づく印字処理中に行われ、各色インクヘッドを清掃する為に、各色インクを所定箇所へ吐出するスピット動作を制御するインクジェット式印字装置のスピット制御方法において、
　前記印字処理中に印字した頁数を認識し、認識した頁数が多い程、前記スピット動作の吐出量を少なく定めることを特徴とするスピット制御方法。」
　
２　引用例
　原査定の拒絶の理由に引用された引用例１及びその記載事項は、前記「第２〔理由〕６（１）ア」に記載したとおりである。
　
３　対比
　本願発明は、前記第２で検討した本願補正発明から、その「各色印字データ」及び「スピット動作」についての相互の関係についての「スピット動作の処理を行う場合に、各色印字データの各色毎に、前回スピット動作から印字されたか否かと、爾後のスピット動作迄に印字されるか否かとを判定し、印字されなかったと判定され、かつ印字されないと判定された印字データの色は、スピット動作を省略する」との限定を省いたものに相当する。
　そして、この限定事項は上記「第２〔理由〕６（２）」で本願補正発明と引用発明とを対比したときの相違点３に係る本願補正発明の構成である。
　そうすると、本願発明の構成要件をすべて含み、さらに上記相違点３に係る限定を付加したものに相当する本願補正発明と引用発明とを対比すると、前記「第２〔理由〕６（２）」に記載した一致点で一致し相違点１ないし３で相違しているから、本願発明と引用発明とを対比すると、前記「第２〔理由〕６（２）」に記載した一致点で一致し相違点１及び２で相違する。
　
４　判断
　前記「第２〔理由〕６（３）ア」に記載したとおり、引用発明において、各色のインクヘッドと、各色インクを用い、入力されたカラー画像データの各色印字データに基づいて印字処理をするようになして、上記相違点１に係る本願発明の構成となすことは、引用例１に記載の事項に基づいて当業者が容易になし得た程度のことである。
　前記「第２〔理由〕６（３）イ」に記載したとおり、引用発明において上記相違点２に係る本願補正発明の構成となすことは、常套手段に基づいて当業者が容易に想到することができたものである。
　また、本願発明の奏する効果は、引用発明の奏する効果、引用例１に記載の技術事項の奏する効果及び常套手段の奏する効果から、当業者が予測できた程度のものである。
　したがって、本願発明は、引用例１に記載された発明及び引用例１に記載の技術事項に基づいて当業者が容易に発明をすることができたものである。
　
５　むすび
　以上のとおり、本願発明は、引用例１に記載された発明及び引用例１に記載の技術事項に基づいて当業者が容易に発明をすることができたものであるから、特許法第２９条第２項の規定により特許を受けることができないものである。
　よって、結論のとおり審決する。